(57)【要約】  【課題】  被検体頭部の大きさにより、入射点と検出点間の距離は変えずに、位置を調整ができる生体光計測用プローブ及びそれを用いた生体光計測装置を提供する。  【解決手段】  入射点１と検出点２の間をほぼ等距離に固定し、入射点１および検出点２を中心として回転可能な連結部材３の、被検体の頭頂部付近の一部の連結部材を取り外して隙間部４を形成し、隙間部周囲の入射点１または検出点２間の距離を変えることにより、プローブのサイズを変える。【選択図】  図４
2006158480.tif 000002
【特許請求の範囲】
【請求項１】
被検体に光を照射するための複数の照射用光ファイバと、前記照射用光ファイバから照射され前記被検体内部を伝播した光を検出するための複数の検出用光ファイバと、前記照射用光ファイバと前記検出用光ファイバとをそれぞれ固定するための複数の固定部と、前記複数の固定部間をそれぞれ連結する連結部材とを有し、前記連結部により連結された隣接する固定部間の距離は、前記連結部材によりほぼ等距離になるように連結されており、前記連結部材は、前記固定部を中心として回転可変であり、かつ、前記複数の固定部と前記複数の連結部材で構成された全領域の一部に、前記固定部および前記連結部材を欠く隙間部を設け、前記隙間部の占める面積を可変に構成してなることを特徴とする生体光計測用プローブ。
【請求項２】
請求項１記載の生体光計測用プローブにおいて、前記隙間部の周囲に設けられ、互いに隣接していない前記固定部の間の距離は可変であることを特徴とする生体光計測用プローブ。
【請求項３】
請求項１記載の生体光計測用プローブにおいて、前記隙間部の周囲に設けられ、互いに隣接していない前記固定部の間の距離を固定する固定部材を設けてなることを特徴とする生体光計測用プローブ。
【請求項４】
請求項３記載の生体光計測用プローブにおいて、前記固定部材は、長さ調節機構を有することを特徴とする生体光計測用プローブ。
【請求項５】
請求項１記載の生体光計測用プローブにおいて、前記隙間部の周囲に設けられ、互いに隣接していない前記固定部間の距離を固定するために、前記隙間部の周囲に設けられた前記固定部間の前記連結部材は、前記固定部を中心とした回転を固定できるよう構成されていることを特徴とする生体光計測用プローブ。
【請求項６】
請求項１記載の生体光計測用プローブにおいて、前記固定部と前記連結部材は、着脱可能に構成され、前記固定部の数を増減できるようにしたことを特徴とする生体光計測用プローブ。
【請求項７】
被検体に光を照射するための複数の照射用光ファイバと、前記光照射手段から照射され前記被検体内部を伝播した通過光を検出するための検出用光ファイバとを備え、前記被検体に装着するためのプローブと、前記プローブにより検出された前記通過光から前記被検体内部の代謝物質濃度を算出する演算部とを有する生体光計測装置において、前記プローブは、前記照射用光ファイバと前記検出用光ファイバとをそれぞれ固定するための複数の固定部と、前記複数の固定部間をそれぞれ連結する連結部材とを有し、前記連結部により連結された隣接する固定部間の距離は、前記連結部材によりほぼ等距離になるように連結されており、前記連結部材は、前記固定部を中心として回転可変であり、かつ、前記複数の固定部と前記複数の連結部材で構成された全領域の一部に、前記固定部および前記連結部材を欠く隙間部を設け、前記隙間部の占める面積を可変に構成してなることを特徴とする生体光計測装置。
【請求項８】
請求項７記載の生体光計測装置において、前記プローブの隙間部の周囲に設けられ、互いに隣接していない前記固定部の間の距離は可変であることを特徴とする生体光計測装置。
【請求項９】
請求項７記載の生体光計測装置において、前記プローブの隙間部の周囲に設けられ、互いに隣接していない前記固定部の間の距離を固定する固定部材を設けてなることを特徴とする生体光計測装置。
【請求項１０】
請求項９記載の生体光計測装置において、前記固定部材は、長さ調節機構を有することを特徴とする生体光計測装置。
【請求項１１】
請求項７記載の生体光計測装置において、前記プローブの隙間部の周囲に設けられ、互いに隣接していない前記固定部間の距離を固定するために、前記隙間部の周囲に設けられた前記固定部間の前記連結部材は、前記固定部を中心とした回転を固定できるよう構成されていることを特徴とする生体光計測装置。
【請求項１２】
請求項７記載の生体光計測装置において、前記プローブの固定部と連結部材は、脱着可能に構成され、前記固定部の数を増減できるようにしたことを特徴とする生体光計測装置。
【請求項１３】
請求項７記載の生体光計測装置において、前記演算部は、前記プローブによって検出された信号に基き、前記照射用光ファイバと前記検出用光ファイバとの間の略中点位置を計測点として前記被検体内部の代謝物質濃度を算出するよう構成されていることを特徴とする生体光計測装置。
【発明の詳細な説明】
【技術分野】
【０００１】
本発明は、光を用いて生体の代謝物質濃度もしくはその濃度変化を計測する生体光計測技術に係り、特に、被検体頭部の代謝物質濃度を計測するための生体光計測用プローブ及びそれを用いた生体光計測装置に関する。
【背景技術】
【０００２】
脳活動に伴う大脳皮質での血液量変化を多点で計測し、その血液量変化を動画像や静止画像として表示する技術（生体光計測装置）が、既に、「Medical Physics, vol.22, No.12, pp1997-2005 (1995)」および「Proceedings of SPIE, vol. 3597, pp230-237」に提案されている。これらでは、入射用光ファイバと検出用光ファイバとが正方格子状に交互に配置された、四角いプローブを使用している。
【０００３】
上記のような正方格子状のプローブをほぼ球形状の頭部に密着させるのは困難であるので、次のような提案が、既になされている。
【０００４】
（１）連結軸から枝状に伸びた枝状部を持ち、頭部形状にフィットする生体光計測装置用プローブが、特開２００１―２８６４４９号公報に記載されている。
【０００５】
（２）格子状に配置したプローブの連結部が回転し、さらに各プローブを保持する保持部が伸縮性を持つことを特徴とする生体光計測装置用プローブが、特開２００２―１４３１６９号公報に記載されている。
【０００６】
（３）頭部の複数の領域を正方格子で埋め、その隙間を多角形で埋めることにより頭部全体を被うプローブが、特開２００２―１１０１２号公報に記載されている。
【０００７】
（４）プローブを被験者の頭部に幾何学的に配置し、被験者の脳組織を非破壊的に計測する装置が特表２００２―５０２６５３号公報に記載されている。
【０００８】
（５）入射用光ファイバと検出用光ファイバをひし形状に配置し、これを４組使用して球形の頭部全体を覆う、脳に相当する部分を一枚の画像で表示することが可能なプローブが特開２００４−１２１７０２号公報に記載されている。
【０００９】
【非特許文献１】Atsushi Maki, et al.: 鉄patial and temporal analysis of human motor activity   Medical Physics, vol.22, No.12, pp1997-2005 (1995)
【非特許文献２】Tsuyoshi Yamamoto, et al.: 哲on-invasive measurement of language function by using optical topography   Proceedings of SPIE, vol. 3597, pp230-237
【特許文献１】特開２００１―２８６４４９号公報
【特許文献２】特開２００２―１４３１６９号公報
【特許文献３】特開２００２―１１０１２号公報
【特許文献４】特表２００２―５０２６５３号公報
【特許文献５】特開２００４−１２１７０２号公報
【発明の開示】
【発明が解決しようとする課題】
【００１０】
しかしながら、上述した生体光計測装置及びプローブには、以下のような課題が存在する。
【００１１】
上述のひし形状や格子状に配置するプローブは、ほぼ球形状の頭部に密着し、頭部の少なくとも上半分の、脳に相当する部分を一枚の画像で表示することが可能だが、頭部の大きさが異なると相対的な計測位置がずれ、測っている脳の部位が異なってしまうという課題を有していた。すなわち、頭部が小さければ、頭頂部から耳の付根付近まで覆うことができるが、大きな頭部の場合、耳よりかなり上の部分までしか覆えない。脳の耳に近い部分には、言語機能を司る言語野が存在すると言われているが、頭部の大きさが変わると、言語野を覆えなくなる場合もあった。
【００１２】
本発明は、このような問題を解決するためになされたものであり、被検体頭部の大きさにより、入射点と検出点間の距離は変えずに、位置を調整ができる生体光計測用プローブ及びそれを用いた生体光計測装置を提供することを目的とする。
【課題を解決するための手段】
【００１３】
上記目的を達成するために、本発明では、以下のような特徴を有する。
【００１４】
入射用光ファイバと検出用光ファイバを連結する連結部材の一部と、一部の光ファイバをはずして隙間を形成し（後述の図１）、隙間の周囲に配置されている光ファイバ間の距離を変化させ（後述の図３、４）、頭の大きさが変わっても、プローブの外周に位置する光ファイバが、頭部上のほぼ同じ位置、例えば、耳のすぐ上に配置されるように構成する（後述の図７〜９）。
【００１５】
このようにして、隙間の周囲に配置される光ファイバ間の距離、または隙間の面積を変えることにより、被検体頭部の大きさにかかわらず、被検体頭部のほぼ同じ位置を計測することが可能なプローブを提供できる。
【００１６】
以下、本発明の代表的な構成例について列挙する。
【００１７】
（１）本発明の生体光計測用プローブは、被検体に光を照射するための複数の照射用光ファイバと、前記照射用光ファイバから照射され前記被検体内部を伝播した光を検出するための複数の検出用光ファイバと、前記照射用光ファイバと前記検出用光ファイバとをそれぞれ固定するための複数の固定部と、前記複数の固定部間をそれぞれ連結する連結部材とを有し、前記連結部により連結された隣接する固定部間の距離は、前記連結部材によりほぼ等距離になるように連結されており、前記連結部材は、前記固定部を中心として回転可変であり、かつ、前記複数の固定部と前記複数の連結部材で構成された全領域の一部に、前記固定部および前記連結部材を欠く隙間部を設け、前記隙間部の占める面積を可変に構成してなることを特徴とする。
【００１８】
（２）前記（１）の生体光計測用プローブにおいて、前記隙間部の周囲に設けられ、互いに隣接していない前記固定部の間の距離は可変であることを特徴とする。
【００１９】
（３）前記（１）の生体光計測用プローブにおいて、前記隙間部の周囲に設けられ、互いに隣接していない前記固定部の間の距離を固定する固定部材を設けてなることを特徴とする。
【００２０】
（４）前記（３）の生体光計測用プローブにおいて、前記固定部材は、長さ調節機構を有することを特徴とする。
【００２１】
（５）前記（１）の生体光計測用プローブにおいて、前記隙間部の周囲に設けられ、互いに隣接していない前記固定部間の距離を固定するために、前記隙間部の周囲に設けられた前記固定部間の前記連結部材は、前記固定部を中心とした回転を固定できるよう構成されていることを特徴とする。
【００２２】
（６）前記（１）の生体光計測用プローブにおいて、前記固定部と前記連結部材は、脱着可能に構成され、前記固定部の数を増減できるようにしたことを特徴とする。
【００２３】
（７）本発明の生体光計測装置は、被検体に光を照射するための複数の照射用光ファイバと、前記光照射手段から照射され前記被検体内部を伝播した通過光を検出するための検出用光ファイバとを備え、前記被検体に装着するためのプローブと、前記プローブにより検出された前記通過光から前記被検体内部の代謝物質濃度を算出する演算部とを有する生体光計測装置において、前記プローブは、前記照射用光ファイバと前記検出用光ファイバとをそれぞれ固定するための複数の固定部と、前記複数の固定部間をそれぞれ連結する連結部材とを有し、前記連結部により連結された隣接する固定部間の距離は、前記連結部材によりほぼ等距離になるように連結されており、前記連結部材は、前記固定部を中心として回転可変であり、かつ、前記複数の固定部と前記複数の連結部材で構成された全領域の一部に、前記固定部および前記連結部材を欠く隙間部を設け、前記隙間部の占める面積を可変に構成してなることを特徴とする。
【００２４】
（８）前記（７）の生体光計測装置において、前記演算部は、前記プローブによって検出された信号に基き、前記照射用光ファイバと前記検出用光ファイバとの間の略中点位置を計測点として前記被検体内部の代謝物質濃度を算出するよう構成されていることを特徴とする。
【発明の効果】
【００２５】
本発明によれば、被検体頭部の大きさにより、入射点と検出点間の距離は変えずに、位置を調整ができる生体光計測用プローブ及びそれを用いた生体光計測装置を実現する。
【発明を実施するための最良の形態】
【００２６】
以下、本発明の実施例について、図面を参照して詳述する。
【００２７】
図１は、本発明の一実施例になる生体光計測用プローブの配置構成を示す展開図である。  入射用光ファイバがつながれた入射点１と、検出用光ファイバがつながれた検出点２は、連結部材３により連結され、ほぼ等間隔に配置されている。連結部材３は、伸縮しない素材でできており、入射点１と検出点２の間をほぼ一定間隔に保つ。連結部材３は、入射点１と検出点２の位置を支点として回転することができ、丸い頭部の形状に沿ってプローブを装着させることが可能である。素材には、例えば、固めのシリコンゴム、樹脂、ゲルなどが挙げられる。
【００２８】
一定間隔に配置された入射点１と検出点２と連結部材３の一部が取り外されており、隙間部４が形成されている。このプローブの場合、隙間が頭頂部に配置されるように装着する。このように、本発明においては、複数の固定部と複数の連結部材で構成された全領域の一部に、固定部および連結部材を欠く隙間部４を設ける構成とする。また、隙間部４の占める面積を可変に構成している。
【００２９】
図２１（ａ）は、本発明によるプローブの、入射用光ファイバ及び検出用光ファイバを固定する、固定部の一例を示す。入射用光ファイバ１３―１は、固定部１７により、被験者６の皮膚にその先端部が接するように固定される。同様に、検出用光ファイバ１３―２も、固定部１７により、被験者６の皮膚にその先端部が接するように固定される。固定部１７は、例えばノリル、樹脂、ゴム等の材料で作製される。隣接する入射用光ファイバ１３―１及び検出用光ファイバ１３―２を各々固定する複数の固定部１７は、連結部材３により、ほぼ一定の距離に保たれている。
【００３０】
図２１（ｂ）は、本発明によるプローブの、連結部材の一例である。本実施例の連結部材３は、二つの輪が連結した形状をしており、二つの輪の中心点を結んだ距離を、ｔで示す。この連結部材３は、入射用光ファイバ１３―１の先端が被験者６の皮膚に接している部分である入射点と、検出用光ファイバが１３―２の先端が被験者６の皮膚に接している部分である検出点との距離を、ほぼ一定の距離ｔに固定する。ここで、距離ｔは、例えば、大人の頭部と計測する場合、このｔは約３０ｍｍにする。乳児や新生児を計測する場合は、２０ｍｍに設定する場合と、３０ｍｍに設定する場合があり、計測の目的により使い分ける。計測目的や被験者の違いにより、ｔは変えてもよい。
【００３１】
図２は、図１の配置におけるサンプリング点（計測点）５の分布を示している。ランプ、発光ダイオード、半導体レーザ等から照射される測定光は、入射用光ファイバを通って入射点１から頭部に入射される。頭部内の大脳皮質部分を伝播した光は、検出点２に接続された検出用光ファイバを通ってフォトダイオード、光電子増倍管等の光照射器に送られ、検出される。大脳皮質内の血流状態に依存して検出される光の強度が変動するので、光が伝播してきた大脳皮質内の血液の増減が計測できる。検出信号は、光が伝播してきた部分全ての血流情報を反映しているが、便宜上入射点１と検出点２のほぼ中点位置をサンプリング点５とし、計測された信号値はこのサンプリング点４の血流情報とする。複数セットの入射点・検出点を設け、複数のサンプリング点の血液情報を得ることにより、血流分布画像を得ることができる。
【００３２】
図３は、本発明によるプローブの第１の配置例を示す展開図で、やや小さいサイズの頭に合わせ、向かい合う１対の検出点の距離を縮めて、一方向のサイズを小さくしたものである。測りたい頭の部位に合わせて、縮める方向を前頭部から後頭部の方向にしてもよいし、左右の側頭方向にしてもよい。また、入射点・検出点の位置を反転させてもよい。この場合のサンプリング点５の数は、図１及び２と同数である。
【００３３】
図４は、本発明によるプローブの第２の配置例を示す展開図で、さらに小さいサイズの頭に合わせ、向かい合う２対の検出点の距離を縮めて、二方向にサイズを小さくしたものである。この場合、前後方向、左右方向ともにサイズを小さくしている。この場合も、入射点・検出点の位置を反転させてもよい。この場合のサンプリング点５の数も、図１及び２と同数である。
【００３４】
図５は、本発明によるプローブの第３の配置例を示す展開図で、前後左右とも同数の入射点１、検出点２、サンプリング点５の数を均等に配置するのではなく、目的に応じて数を変えている場合である。この場合、目に近い前頭部の入射点１、検出点２、サンプリング点５の数を減らし、より安全性を高めている。なお、目的に応じて、側頭部、または後頭部の入射点１、検出点２、サンプリング点５の数を減らしても良い。また、例えば、ホックをつけるなど、脱着自在な機構を付けても良い。
【００３５】
図６は、さらに頭が小さいな新生児や未熟児でも対応可能なように、外周の１列の入射・検出点を外したプローブの第４の配置例を示す展開図である。この場合、安全性を高めるために最外周が検出点になるよう、入射点と検出点の配置を逆転させている。これも、必要な場合は入射・検出点を増減できるよう、ホックなどの脱着自在な機構を付けても良い。
【００３６】
図７は、図６のプローブを被験者（被検体）６に装着した状態を、側面及び上から見た一例を示す図である。このプローブに対して頭が大きめの場合、隙間部４の外周上の入射・検出点は離れるので、隙間部４は８角形になる。また、連結部材３は入射・検出点を支点に回転して頭にフィットするので、部分的に連結部材がひし形の構造をとっている。プローブの最外周は、耳の上部まで覆うことができている。
【００３７】
図８は、図６のプローブを被験者６に装着した状態を、側面及び上から見た別の例を示す図である。このプローブに対して頭がやや小さめの場合、隙間部４の外周上の入射・検出点の１対だけ距離を縮め、一方向にだけサイズを小さくしている。また、連結部材３は入射点・検出点を支点に回転して頭にフィットするので、部分的に連結部材がひし形の構造をとっている。プローブの最外周もひし形構造をとり、被験者６の耳を避けて、耳を塞がないように装着することができる。
【００３８】
図９は、図６のプローブを被験者６装着した状態を、側面及び上から見たさらに別の例を示す図である。このプローブに対して頭がさらに小さめの場合、隙間部４の外周上の２対の入射・検出点の距離を縮め、二方向にサイズを小さくしている。また、連結部材３は入射点・検出点を支点に回転して頭にフィットするので、部分的に連結部材がひし形の構造をとっている。プローブの最外周もひし形構造をとり、被験者６の耳を避けて、耳を塞がないように装着することができる。ひし形の角度が鋭角になり、一部の入射点・検出点が顔にかかる場合は、一部の入射点・検出点を取り外してもよい。または、一部の入射点・検出点を脱着可能にしておいてもよい。
【００３９】
上記のプローブで、隙間部４の外周の角度を保ち、入射点１または検出点２の距離を近づけてほぼ一定に保つ機構としては、例えば、一部の連結部材３の回転を止めて固定できるようにしてもよい。一部連結部材３の回転の滑りを悪くして、一度固定した状態が保たれるようにしてもよい。
【００４０】
図１０は、図６のプローブにおいて、隙間部４の外周の角度を保ち、入射点１または検出点２の距離を近づけて一定に保持する方法の一例を示す図である。
【００４１】
隙間部４外周上の、向かい合った１対の検出点同士をひも状部材（もしくは、ベルト状部材）７でつなぎ、ひも状部材７の長さを変えることにより、一方向の距離を調節する。
【００４２】
図１１は、図６のプローブにおいて、隙間部４の外周の角度を保ち、入射点１または検出点２の距離を近づけて一定に保持する方法の別の例を示す図である。
【００４３】
隙間部４外周上の、向かい合った２対の検出点同士を２本のひも状部材７でつなぎ、２本のひも状部材７の長さを変えることにより、二方向の距離を調節する。
【００４４】
図１２は、図６のプローブにおいて、隙間部４の外周の角度を保ち、入射点１または検出点２の距離を近づけて一定に保持する方法のさらに別の例を示す図である。
【００４５】
隙間部４外周上の、向かい合った２対の検出点同士を１本のひも状部材７でつなぎ、ひもで袋の口を絞るように、ひも状部材７の長さを調整して隙間部４の面積を狭くし、二方向の距離を調節する。
【００４６】
図１３は、図６のプローブにおいて、ひも状部材７により入射点１と検出点２の距離を固定する方法を示す図である。被検体頭部の大きさに合わせて、固定部材としてのひも状部材７の長さ調節ができるよう、長さ調節用部材８をひも状部材７に取り付けたものである。長さ調節用部材８による長さ調節は、プローブをかぶってから行ってもよいし、かぶる前に長さを調節しておいてもよい。かぶる前に長さを調節する方法として、例えば、次のような方法がある。
【００４７】
プローブでカバーしようとする領域の端、例えば、前後方向ならば、額と後頭部の出っ張っている部分を頭頂を通って結ぶ距離をＬ1とし、左右方向ならば、両耳の付根を頭頂を通って結ぶ距離をＬ2とし、入射点１と検出点２の間の距離をｒとする。プローブの配置構成は、図６に示したものだとする。すると、前後方向のひもの長さｄ1と、左右方向のひもの長さｄ2は、以下のような式で概算できる。
ｄ1 ＝ Ｌ1 − ４ｒ                …（１）
ｄ2 ＝ Ｌ2 − ４ｒ                …（２）
あらかじめ、この長さｄ1、ｄ2もしくはこれに近い値にひも状部材７の長さを設定しておき、かぶせてもよい。なお、図１〜４のような配置であれば、
ｄ1 ＝ Ｌ1 − ６ｒ                …（３）
ｄ2 ＝ Ｌ2 − ６ｒ                …（４）
と概算される。
【００４８】
図１４は、本発明の生体光計測用プローブの別の配置構成を示す展開図である。隙間部４を、頭頂付近に相当するプローブ配置の中央部ではなく、中央からずらした部分に設けている。計測したい部位に応じて、例えば前頭部、または後頭部、または右側頭部、または左側頭部に隙間部４を設け、頭頂部を含めた脳機能画像を得ることができる。
【００４９】
図１５は、本発明の生体光計測用プローブのさらに別の配置構成を示す展開図である。前述のプローブ配置では、連結部材３を４個分を取り外し、比較的広い隙間部４を形成しているが、頭の大きさの差が小さい場合、図１５に示すように、連結部材３を１個だけ外し、小さな隙間部４を形成してもよい。
【００５０】
図１６は、本発明の生体光計測用プローブにより得られた脳機能画像の表示方法の一例を示す図である。
【００５１】
本プローブの連結部材３が入射点１または検出点２を支点として回転するので、入射点１と検出点２の配置はひし形構造をとり、プローブは頭部に沿うように装着される。従って、実際には脳機能画像は曲面になるが、二次元のモニターや紙の上に表示するのは困難である。そこで、頭部に沿わせるため、実際にはひし形に変形している入射点１と検出点２の配置を、画面表示では正方格子に配置させるよう補正する。それに伴い、サンプリング点５の位置も補正される。
【００５２】
それと同様の補正を、脳機能画像に重ねて表示する頭部画像（コンピュータグラフィック、イラスト、写真等）にも行って歪ませ、脳の活動と、頭部上での活動部位との対応関係が分かりやすいように表示する。図１６は、側頭部を強調した頭部平面画像１０に脳機能画像を重ねたものである。例えば、側頭部に局在する聴覚、言語機能に着目して表示させる場合に用いてもよい。
【００５３】
図１７は、本発明の生体光計測用プローブにより得られた脳機能画像の表示方法の別の例を示す図である。補正をかけて歪ませた、上から見た頭部平面画像１１に脳機能画像を重ね、頭部全体の脳活動の様子を分かりやすく表示している。
【００５４】
図１８は、本発明の生体光計測用プローブを被検体に装着する場合におけるプローブ固定法の一例を示す図である。
【００５５】
伸縮性のあるプローブキャップ（もしくは、ヘルメット）１２を上から被ることにより、プローブ全体が頭から落ちないように固定する。プローブキャップ１２とプローブは、ずれないように固定しても良いし、固定しなくてもよい。または、プローブとプローブキャップ１２を一体化し、プローブとプローブキャップ１２を同時に装着できるようにしてもよい。また、隙間部４とほぼ同じ位置に、穴１５を設けても良い。
【００５６】
さらに、新生児や、患者等を計測する場合、このプローブキャップ１２を装着したまま、ベッド１４に横臥した状態で計測してもよい。この場合、プローブキャップ１２をベッド１４に固定して、頭が動きにくくなるようにしてもよいし、頭が動くよう固定しなくてもよい。自分で頭を動かすことが出来ない新生児の場合、プローブキャップ１２をベッド１４に固定しておくと、装着が容易な場合もある。入射点１または検出点２に接続され、さらにプローブキャップ１２下部から外へ出ている光ファイバ１３は、被験者６の下敷きにならないよう、ベッド１４の内部を通しても良い。図１８の場合、プローブキャップ１２下部から光ファイバ１３を引き出しているので、キャップ頭頂部の隙間部４の部分に相当する穴１５を設けなくてもよい。
【００５７】
図１９は、本発明の生体光計測用プローブを被検体に装着する場合におけるプローブ固定法の別の例を示す図である。
【００５８】
図１８の場合と同様に、プローブキャップ１２を装着し、ベッド１４に仰臥した状態だが、入射点１または検出点２に接続されている光ファイバ１３を、頭頂部の穴１５から引き出している。さらに、光ファイバ１３をベッド１４を通してもよい。また、身体の動きが光ファイバ１３に影響を与え、信号の伝達状態に影響するのを防ぐため、穴１５から引き出された光ファイバ１３を束ね、弾性素材でベッドに固定してもよい。
【００５９】
図２０は、本発明の生体光計測用プローブを被検体に装着する場合におけるプローブ固定法のさらに別の例を示す図である。
【００６０】
プローブキャップ１２に脳波測定用の脳波電極１６を取り付け、脳波も同時に計測できるようにしてもよい。脳波計測は、光による脳機能計測と同じ脳機能を計測するために用いても良いし、別な機能や状態をモニターするために用いても良い。例えば、覚醒状態をモニターしてもよい。従って、光による計測と同じサンプリング数でもよいし、少なくてもよい。もちろん、多いサンプリング数でもよい。
【００６１】
以上詳述したように、本発明によれば、被検体頭部の大きさにより、入射点と検出点間の距離は変えずに、位置を調整ができる大きさが変わっても、相対的に同じ部位を計測できる、全頭部計測可能な生体光計測用プローブを実現できる。
【図面の簡単な説明】
【００６２】
【図１】本発明の一実施例になる生体光計測用プローブの配置構成を示す展開図。
【図２】図１の配置におけるサンプリング点の分布を示す図。
【図３】本発明によるプローブの第１の配置例を示す展開図。
【図４】本発明によるプローブの第２の配置例を示す展開図。
【図５】本発明によるプローブの第３の配置例を示す展開図。
【図６】本発明によるプローブの第４の配置例を示す展開図。
【図７】図６のプローブを被検体に装着した状態を、側面及び上から見た一例を示す図。
【図８】図６のプローブを被検体に装着した状態を、側面及び上から見た別の例を示す図。
【図９】図６のプローブを被検体に装着した状態を、側面及び上から見たさらに別の例を示す図。
【図１０】図６のプローブにおいて、隙間の外周の角度を保ち、入射点または検出点の距離を近づけて一定に保持する方法の一例を示す図。
【図１１】図６のプローブにおいて、隙間の外周の角度を保ち、入射点または検出点の距離を近づけてほぼ一定に保持する方法の別の例を示す図。
【図１２】図６のプローブにおいて、隙間の外周の角度を保ち、入射点または検出点の距離を近づけてほぼ一定に保持する方法のさらに別の例を示す図。
【図１３】図６のプローブにおいて、ひもにより入射点と検出点との距離を固定する方法を示す図。
【図１４】本発明の生体光計測用プローブの別の配置構成を示す展開図。
【図１５】本発明の生体光計測用プローブのさらに別の配置構成を示す展開図。
【図１６】本発明の生体光計測用プローブにより得られた脳機能画像の表示方法の一例を示す図。
【図１７】本発明の生体光計測用プローブにより得られた脳機能画像の表示方法の別の例を示す図。
【図１８】本発明の生体光計測用プローブを被検体に装着する場合におけるプローブ固定法の一例を示す図。
【図１９】本発明の生体光計測用プローブを被検体に装着する場合におけるプローブ固定法の別の例を示す図。
【図２０】本発明の生体光計測用プローブを被検体に装着する場合におけるプローブ固定法のさらに別の例を示す図。
【図２１】本発明による生体光計測用プローブの、（ａ）入射用光ファイバおよび検出用光ファイバを固定する固定部の一例、（ｂ）連結部材の一例を示す図。
【符号の説明】
【００６３】
１…入射点、２…検出点、３…連結部材、４…隙間部、５…サンプリング点、６…被験者、７…ひも状部材、またはベルト、８…長さ調節用部材、９…脳機能画像、１０…側頭部を強調した頭部平面画像、１１…上から見た頭部平面画像、１２…プローブキャップ、１３…光ファイバ、１３−１：入射用光ファイバ、１３−２：検出射用光ファイバ、１４…ベッド、１５…穴、１６…脳波電極、１７：固定部。
【図１】
2006158480.tif 000003
【図２】
2006158480.tif 000004
【図３】
2006158480.tif 000005
【図４】
2006158480.tif 000006
【図５】
2006158480.tif 000007
【図６】
2006158480.tif 000008
【図７】
2006158480.tif 000009
【図８】
2006158480.tif 000010
【図９】
2006158480.tif 000011
【図１０】
2006158480.tif 000012
【図１１】
2006158480.tif 000013
【図１２】
2006158480.tif 000014
【図１３】
2006158480.tif 000015
【図１４】
2006158480.tif 000016
【図１５】
2006158480.tif 000017
【図１６】
2006158480.tif 000018
【図１７】
2006158480.tif 000019
【図１８】
2006158480.tif 000020
【図１９】
2006158480.tif 000021
【図２０】
2006158480.tif 000022
【図２１】
2006158480.tif 000023